【手続補正書】
【提出日】平成29年2月3日(2017.2.3)
【手続補正１】
【補正対象書類名】特許請求の範囲
【補正対象項目名】全文
【補正方法】変更
【補正の内容】
【特許請求の範囲】
【請求項１】
第１の通信手段と、
前記第１の通信手段より通信速度が速い第２の通信手段と、
前記第１の通信手段により通信された情報が第１の条件を満たす場合、前記第２の通信手段を所定の信号を送信する役割として動作させるよう制御し、
前記第１の通信手段により通信された情報が前記第１の条件と異なる第２の条件を満たす場合、前記第２の通信手段を前記所定の信号を送信する他の装置に接続する役割として動作させるよう制御する制御手段と、
を有することを特徴とする通信装置。
【請求項２】
前記第１の条件は、前記第１の通信手段により通信された情報が所定の識別情報であることである、
ことを特徴とする請求項１に記載の通信装置。
【請求項３】
前記第２の条件は、前記第１の通信手段により通信された情報が前記第２の通信手段により通信するための所定の設定情報であることである、
ことを特徴とする請求項１または２に記載の通信装置。
【請求項４】
前記第１の通信手段により通信された情報が前記第１の条件及び前記第２の条件を満たさない場合、前記第２の通信手段を起動させない、
ことを特徴とする請求項１から３のいずれか１項に記載の通信装置。
【請求項５】
前記第１の通信手段を介して他の通信装置がアクセスできる情報を記憶する記憶手段を有し、
前記記憶手段には、前記第２の通信手段により通信するための設定情報が記憶される、
ことを特徴とする請求項１から４のいずれか１項に記載の通信装置。
【請求項６】
第１の通信手段と、
第２の通信手段と、
前記第１の通信手段を介して他の通信装置がアクセスできる情報を記憶する記憶手段と、
少なくとも前記第２の通信手段の起動を制御する制御手段と、
を有し、
前記制御手段は、前記第１の通信手段による通信の相手装置がアクセスした情報の内容が所定の条件を満たす場合に、前記相手装置との通信のために前記第２の通信手段を起動する、
ことを特徴とする通信装置。
【請求項７】
前記制御手段は、さらに、前記通信装置の制御を行うプロセッサの起動を制御する、
ことを特徴とする請求項６に記載の通信装置。
【請求項８】
前記制御手段は、前記第１の通信手段による通信の相手装置がアクセスした情報の内容が所定の条件を満たす場合に、前記プロセッサを起動し、当該プロセッサに前記第２の通信手段を起動させることにより、当該第２の通信手段を起動する、
ことを特徴とする請求項７に記載の通信装置。
【請求項９】
前記制御手段は、さらに、前記第１の通信手段の起動を制御し、
前記制御手段は、前記相手装置からの誘導起電力が検出された場合に、前記プロセッサを起動し、前記プロセッサに前記第１の通信手段を起動させることにより、前記第１の通信手段の起動する、
ことを特徴とする請求項７に記載の通信装置。
【請求項１０】
前記通信の相手装置がアクセスした情報は、前記第２の通信手段による通信を行うための設定に用いられるＭＡＣアドレスを含み、
前記制御手段は、前記通信の相手装置がアクセスした情報に含まれるＭＡＣアドレスが、前記第２の通信手段に関するＭＡＣアドレスと一致する場合に、前記通信の相手装置がアクセスした情報の内容が前記所定の条件を満たすと判定する、
ことを特徴とする請求項６から９のいずれか１項に記載の通信装置。
【請求項１１】
前記通信の相手装置がアクセスした情報は、前記第２の通信手段による通信を行うための設定に用いられるパラメータが再配布可能であることを示す値が設定されているか否かを示し、
前記制御手段は、前記パラメータが再配布可能であることを前記通信の相手装置がアクセスした情報が示す場合に、前記通信の相手装置がアクセスした情報の内容が前記所定の条件を満たすと判定する、
ことを特徴とする請求項６から９のいずれか１項に記載の通信装置。
【請求項１２】
前記通信の相手装置がアクセスした情報は、前記第２の通信手段による通信を行うための設定に用いられる暗号方式を含み、
前記制御手段は、前記通信の相手装置がアクセスした情報に含まれる暗号方式が所定の強度以上の暗号方式である場合に、前記通信の相手装置がアクセスした情報の内容が前記所定の条件を満たすと判定する、
ことを特徴とする請求項６から９のいずれか１項に記載の通信装置。
【請求項１３】
前記通信の相手装置がアクセスした情報は、不特定の装置からの接続が許容されるか否かを示し、
前記制御手段は、前記通信の相手装置がアクセスした情報が不特定の装置からの接続を許容しないことを示す場合に、前記通信の相手装置がアクセスした情報の内容が前記所定の条件を満たすと判定する、
ことを特徴とする請求項６から９のいずれか１項に記載の通信装置。
【請求項１４】
前記記憶手段は半導体メモリであり、
前記制御手段は、前記通信の相手装置がアクセスした情報が前記半導体メモリの初期値に一致する場合には、前記通信の相手装置がアクセスした情報の内容が前記所定の条件を満たさないと判定する、
ことを特徴とする請求項６から１３のいずれか１項に記載の通信装置。
【請求項１５】
前記記憶手段は半導体メモリであり、
前記制御手段は、前記通信の相手装置がアクセスした情報のチェックサム値が正しくない場合に、前記通信の相手装置がアクセスした情報の内容が前記所定の条件を満たさないと判定する、
ことを特徴とする請求項６から１３のいずれか１項に記載の通信装置。
【請求項１６】
前記記憶手段は、他の通信装置がアクセスできる情報を、起動されるべき機能と対応付けて記憶し、
前記制御手段は、前記相手装置がアクセスした、前記第２の通信手段に対応する情報が前記所定の条件を満たす場合に、当該第２の通信手段を起動する、
ことを特徴とする請求項６から１５のいずれか１項に記載の通信装置。
【請求項１７】
前記制御手段は、前記第２の通信手段が起動していない場合にのみ、当該第２の通信手段の起動を制御する、
ことを特徴とする請求項６から１６のいずれか１項に記載の通信装置。
【請求項１８】
前記第１の通信手段は、ＮＦＣ（Ｎｅａｒ  Ｆｉｅｌｄ  Ｃｏｍｍｕｎｉｃａｔｉｏｎ）のインタフェースである、
ことを特徴とする請求項１から１７のいずれか１項に記載の通信装置。
【請求項１９】
前記第１の通信手段は、ＮＦＣ（Ｎｅａｒ  Ｆｉｅｌｄ  Ｃｏｍｍｕｎｉｃａｔｉｏｎ）のインタフェースであり、
前記記憶手段は、ＮＤＥＦ（ＮＦＣ  Ｄａｔａ  Ｅｘｃｈａｎｇｅ  Ｆｏｒｍａｔ）の形式で、他の通信装置がアクセスできる情報を記憶する、
ことを特徴とする請求項６から１７のいずれか１項に記載の通信装置。
【請求項２０】
前記第２の通信手段は、ＩＥＥＥ８０２．１１規格シリーズに準拠する無線ＬＡＮによる通信を行うためのインタフェースである、
ことを特徴とする請求項１から１９のいずれか１項に記載の通信装置。
【請求項２１】
第１の通信手段と、前記第１の通信手段より通信速度が速い第２の通信手段と、を有する通信装置が実行する方法であって、
前記第１の通信手段により通信された情報が第１の条件を満たす場合、前記第２の通信手段を所定の信号を送信する役割として動作させるよう制御する工程と、
前記第１の通信手段により通信された情報が前記第１の条件と異なる第２の条件を満たす場合、前記第２の通信手段を前記所定の信号を送信する他の装置に接続する役割として動作させるよう制御する工程と、
を有することを特徴とする方法。
【請求項２２】
第１の通信手段と、第２の通信手段と、前記第１の通信手段を介して他の通信装置がアクセスできる情報を記憶する記憶手段と、を有する通信装置が実行する方法であって、
前記第１の通信手段による通信の相手装置がアクセスした情報の内容が所定の条件を満たす場合に、前記相手装置との通信のために前記第２の通信手段を起動する工程を有する、
ことを特徴とする方法。
【請求項２３】
第１の通信手段と、前記第１の通信手段より通信速度が速い第２の通信手段と、を有する通信装置に備えられたコンピュータに、
前記第１の通信手段により通信された情報が第１の条件を満たす場合、前記第２の通信手段を所定の信号を送信する役割として動作させるよう制御させ、
前記第１の通信手段により通信された情報が前記第１の条件と異なる第２の条件を満たす場合、前記第２の通信手段を前記所定の信号を送信する他の装置に接続する役割として動作させるよう制御させる、
ためのプログラム。
【請求項２４】
第１の通信手段と、第２の通信手段と、前記第１の通信手段を介して他の通信装置がアクセスできる情報を記憶する記憶手段と、を有する通信装置に備えられたコンピュータに、
前記第１の通信手段による通信の相手装置がアクセスした情報の内容が所定の条件を満たす場合に、前記相手装置との通信のために前記第２の通信手段を起動させるためのプログラム。
【手続補正２】
【補正対象書類名】明細書
【補正対象項目名】発明の名称
【補正方法】変更
【補正の内容】
【発明の名称】通信装置、方法、及びプログラム
【手続補正３】
【補正対象書類名】明細書
【補正対象項目名】０００８
【補正方法】変更
【補正の内容】
【０００８】
本発明は上記課題に鑑みなされたものであり、複数の通信機能を有し、複数の通信機能のうちの１つによる通信を契機に別の通信機能を起動する通信装置において、適切に別の通信機能による通信を開始するための技術を提供することを目的とする。
【手続補正４】
【補正対象書類名】明細書
【補正対象項目名】０００９
【補正方法】変更
【補正の内容】
【０００９】
上記目的を達成するため、本発明による通信装置は、第１の通信手段と、前記第１の通信手段より通信速度が速い第２の通信手段と、前記第１の通信手段により通信された情報が第１の条件を満たす場合、前記第２の通信手段を所定の信号を送信する役割として動作させるよう制御し、前記第１の通信手段により通信された情報が前記第１の条件と異なる第２の条件を満たす場合、前記第２の通信手段を前記所定の信号を送信する他の装置に接続する役割として動作させるよう制御する制御手段と、を有する。
【手続補正５】
【補正対象書類名】明細書
【補正対象項目名】００１０
【補正方法】変更
【補正の内容】
【００１０】
本発明によれば、複数の通信機能を有し、複数の通信機能のうちの１つによる通信を契機に別の通信機能を起動する通信装置において、適切に別の通信機能による通信を開始することが可能となる。